(57)【要約】【課題】同一口座で複数のカードを発行する場合、少なくとも一つのカードの取引を制限する。【解決手段】カード発行手段１１は、一方の使用者に対して、現金に代わる決済取引の使用のみに制限される子カードを発行する。子カード決済情報管理手段１２は、一方の使用者が子カードで決済を行った場合、その取引内容を保存する。子カード決済情報照会手段１３は、他方の使用者から一方の使用者の決済状況の照会依頼を受けた場合、子カード決済情報管理手段１２が保存した取引内容を出力する。【選択図】        図１
2004164446.tif 000002
【特許請求の範囲】
【請求項１】
一方の使用者と他方の使用者における一方の使用者に対して、現金に代わる決済取引の使用のみに制限される子カードを発行するカード発行手段と、
前記一方の使用者が前記子カードで決済取引を行った場合に、その取引内容を保存する子カード決済情報管理手段と、
前記他方の使用者から前記一方の使用者の決済状況の照会依頼を受けた場合、前記子カード決済情報管理手段が保存した取引内容を出力する子カード決済情報照会手段と、
前記他方の使用者からのメッセージ入力を保存するメッセージ保存手段と、
前記一方の使用者が決済取引を行う場合に、前記メッセージ保存手段のメッセージを出力するメッセージ出力手段とを備えたことを特徴とする金融サービスシステム。
【請求項２】
請求項１に記載の金融サービスシステムにおいて、
他方の使用者に対して、当該他方の使用者の識別情報を有する親カードを発行するカード発行手段と、
前記親カードによる本人認証を行った後に一方の使用者の決済状況の照会依頼を受け付ける子カード決済情報照会手段とを備えたことを特徴とする金融サービスシステム。
【請求項３】
口座開設人と同一口座で、かつ、前記口座開設人の家族名義となる複数のカードを視覚的に識別可能なカードとして発行するカード発行部と、
前記いずれかのカードが既発行であった場合、当該既発行のカードを上位側のカードとして位置付け、当該上位側のカードから情報を読み出して下位のカードを発行するよう前記カード発行部に指示するカード発行管理部とを備えたカード発行装置。
【請求項４】
口座開設人と同一口座で、かつ、前記口座開設人の家族名義となる複数のカードを視覚的に識別可能なカードとして発行するカード発行部と、
前記いずれかのカードが既発行であった場合、当該既発行のカードを上位側のカードとして位置付け、当該上位側のカードから情報を読み出して下位のカードを発行するよう前記カード発行部に指示するカード発行管理部と、
前記下位のカードの決済状況を照会する照会部と、
前記下位のカードによる決済時に表示されるメッセージを、前記上位のカードによる取引時に受け付けるメッセージ入力部とを備えたことを特徴とするカード取引装置。
【発明の詳細な説明】
【０００１】
【発明の属する技術分野】
本発明は、一方の使用者のカードでの決済情報を、他方の使用者が参照できるようにした金融サービスシステムに関する。
【０００２】
【従来の技術】
一般に、家庭の子どもが自宅からの遠隔地の学校で教育を受ける場合、子どもが親元から離れて生活する場合がある。このような場合、親子が同一口座のカードを持ち、親が入金し、子どもが口座から引き出して生活費に充てる、といったことが行われている。
また、従来、名義人自身や家族の有するカードで決済取引が行われたことをメール等で自宅のパーソナルコンピュータ等に通知するようにしているものもあった（例えば、特許文献１参照）。
【０００３】
【特許文献１】
特開２００２−１３３１００号公報
【０００４】
【発明が解決しようとする課題】
しかしながら、従来では、子どもの決済情報は入手することはできるが、子どもの持つカードの使用には制限がなく、例えば、子どもが親の口座から預金を引き出すことを制限することはできなかった。
【０００５】
【課題を解決するための手段】
本発明は、前述の課題を解決するため次の構成を採用する。
即ち、一方の使用者と他方の使用者における一方の使用者に対して、現金に代わる決済取引の使用のみに制限される子カードを発行するカード発行手段を設ける。また、一方の使用者が子カードで決済取引を行った場合に、その取引内容を保存する子カード決済情報管理手段を設ける。更に、他方の使用者から一方の使用者の決済状況の照会依頼を受けた場合、子カード決済情報管理手段が保存した取引内容を出力する子カード決済情報照会手段を設ける。また、他方の使用者からのメッセージ入力を保存するメッセージ保存手段と、一方の使用者が決済取引を行う場合に、メッセージ保存手段のメッセージを出力するメッセージ出力手段とを設ける。
【０００６】
【発明の実施の形態】
以下、本発明の実施の形態を具体例を用いて詳細に説明する。
《具体例１》
〈構成〉
図１は、本発明の金融サービスシステムを示す機能ブロック図である。
図示の金融サービスシステム１は、カード発行手段１１、子カード決済情報管理手段１２、子カード決済情報照会手段１３、メッセージ保存手段１４、メッセージ出力手段１５からなる。
カード発行手段１１は、一方の使用者２と他方の使用者３における一方の使用者２に対して、現金に代わる決済取引の使用のみに制限される子カードを発行し、また、他方の使用者３に対して、現金の入出金と決済機能を有する親カードを発行する機能部である。ここで、親カードや子カードとしては、例えばＩＣカード等の情報記憶機能を有するカードから構成されているとする。
尚、以下、他方の使用者３を口座開設人である親ユーザ３とし、一方の使用者２を家族名義の子ユーザ２であるとして説明する。
【０００７】
図２は、本具体例におけるカードの機能を示す説明図である。
図示のように、同一口座で複数の名義人が存在し、名義人１が他方の使用者３（親ユーザ３）であり、この口座開設人であるとする。また、この親ユーザ３が有するカード（親カード）は、全ての取引が可能であり、かつ、金融端末による照会時に一方の使用者２へのメッセージ入力が可能である。また、図中の名義人２、３は一方の使用者２（子ユーザ２）であり、この子ユーザ２が有するカード（子カード）はキャッシュレスでの買物（決済）は可能であるが、少なくとも出金は不可となっている。また、決済時には親ユーザ３からメッセージ入力があった場合に、そのメッセージ表示が行われるようになっている。
【０００８】
図１に戻り、子カード決済情報管理手段１２は、子ユーザ２が、子カードで決済を行った場合に、その決済情報を保存する機能部である。子カード決済情報照会手段１３は、親ユーザ３から、その親ユーザ３の本人確認後、子ユーザ２の決済情報の照会要求を受けた場合、子カード決済情報管理手段１２に保存されている決済情報を出力する機能部である。メッセージ保存手段１４は、親ユーザ３から子ユーザ２へのメッセージ入力があった場合、これを保存する機能部である。メッセージ出力手段１５は、子ユーザ２が決済または決済情報照会を行う場合、メッセージ保存手段１４に保存されているメッセージを出力する機能部である。
【０００９】
図３は、金融サービスシステムの構成図である。
図示のシステムは、ホストコンピュータ１００、金融店舗１１０、金融サービス受付店舗１２０、金融店舗１３０、カード発行センタ１４０、ネットワーク１５０からなる。
ホストコンピュータ１００は、システムの運用管理と制御を行う機能部である。金融店舗１１０は、現金の入出金や振込、決済情報照会等の取引を行うためのＡＴＭ（現金自動預け入れ払い機）等の金融端末１１１を備えた店舗である。
【００１０】
金融サービス受付店舗１２０は、子ユーザ２や親ユーザ３からのカード発行申請を受け付けるための店舗であり、受付端末１２１を備えている。この受付端末１２１は、パーソナルコンピュータ等から構成され、ネットワーク１５０を介してホストコンピュータ１００やカード発行センタ１４０と接続されている。
【００１１】
金融店舗１３０は、金融端末１１１と同様の機能を有する金融端末１３１と、オンラインの決済を行うためのＰＳ端末（Ｐｏｉｎｔ  ｏｆ  Ｓａｌｅｓ端末）１３２を備えた店舗である。このＰＳ端末１３２は、金融店舗１３０において、子ユーザ２や親ユーザ３が商品を購入した場合に、オンライン決済を行うための端末である。
【００１２】
カード発行センタ１４０は、カード発行管理端末１４１を備えた店舗である。このカード発行管理端末１４１は、金融サービス受付店舗１２０の受付端末１２１からのカード発行申請情報に基づいて作成した親カード３ａや子カード２ａの発行管理を行うための端末であり、そのカード発行管理情報はホストコンピュータ１００に送信されるようになっている。
【００１３】
ネットワーク１５０は、公衆回線やＬＡＮで構成されているが、ホストコンピュータ１００〜カード発行センタ１４０が相互に接続可能であれば、その伝送媒体やプロトコル等に関しては特に限定はない。
【００１４】
図１におけるカード発行手段１１は、ホストコンピュータ１００と金融サービス受付店舗１２０とカード発行センタ１４０とにより実現されている。また、子カード決済情報管理手段１２は、ホストコンピュータ１００と金融店舗１３０とで実現されている。更に、子カード決済情報照会手段１３やメッセージ保存手段１４、あるいはメッセージ出力手段１５は、それぞれホストコンピュータ１００と、金融店舗１１０または金融店舗１３０で実現されている。
【００１５】
次に、ホストコンピュータ１００の制御構成について説明する。
図４は、ホストコンピュータ１００の制御ブロック図である。
図示のように、ホストコンピュータ１００の制御ブロック構成として、主制御部２００、金融端末制御部２０１、受付端末制御部２０２、カード発行管理端末制御部２０３、ＰＳ端末制御部２０４を備え、主制御部２００は、親子カードサービス管理部２０５と決済処理部２０６を備えている。
【００１６】
主制御部２００は、システム全体の運用管理と制御を行うと共に、金融端末制御部２０１〜ＰＳ端末制御部２０４を介して金融端末１１１，１３１、受付端末１２１、ＰＳ端末１３２、カード発行管理端末１４１とデータ通信を行って、決済処理と子カード２ａや親カード３ａの運用管理を行う機能を有するものである。金融端末制御部２０１は、金融端末１１１，１３１の運用管理と制御を行う機能を有しており、子カード決済情報照会手段１３、メッセージ保存手段１４、メッセージ出力手段１５を実現するものである。受付端末制御部２０２は、金融サービス受付店舗１２０との情報のやり取りを行う機能部であり、カード発行手段１１を実現している。カード発行管理端末制御部２０３はカード発行管理端末１４１との情報のやり取りを行うための制御部である。ＰＳ端末制御部２０４は、ＰＳ端末１３２の運用管理と制御を行うための機能部である。
【００１７】
親子カードサービス管理部２０５は、親子ユーザのＩＤ情報、金融端末１１１，１３１での取引情報、ＰＳ端末１３２における子２や親３の決済情報の管理を行う機能を有し、図１における子カード決済情報管理手段１２、子カード決済情報照会手段１３およびメッセージ保存手段１４を実現するための機能部である。決済処理部２０６は、ＰＳ端末１３２による決済処理を行うための機能部である。
【００１８】
〈動作〉
次に、本具体例の金融サービスシステムの動作について説明する。
尚、親カード３ａによる入出金や残高照会等の取引の動作は従来と同様であるため、ここでの説明は省略する。
【００１９】
図５は、具体例１におけるカード発行処理を示すフローチャートである。
先ず、金融サービス受付店舗１２０において、１単位のユーザのメンバである親ユーザ３と子ユーザ２が、親カード３ａと子カード２ａの申請を行い、受付端末１２１でこれを受け付ける（ステップＳ１）。この受付方法としては、例えば、親ユーザ３からの申し込み書類を係員４ａが受け取ることで行われる。これにより、係員４ａは、申し込み書類により親ユーザ３と子ユーザ２のＩＤ情報や日付などの必要な申し込み情報を受付端末１２１に入力する（ステップＳ２）。次に、係員４ａはこのような情報に基づく親カード３ａと子カード２ａの発行依頼を行い、受付端末１２１でカード発行依頼情報を作成する（ステップＳ３）。そして、受付端末１２１は、入力されたＩＤ情報等をホストコンピュータ１００に対して送信し、かつ、入力情報を保存する（ステップＳ４）。
【００２０】
ホストコンピュータ１００の主制御部２００は、このような発行依頼情報を受付端末制御部２０２を介して受け取る（ステップＳ５）。これにより、親子カードサービス管理部２０５は、受け取った発行依頼情報に加えてカード口座等の情報を加えたカード発行指示情報を作成し（ステップＳ６）、カード発行センタ１４０のカード発行管理端末１４１宛に送信する（ステップＳ７）。また、ステップＳ７において、このようなカードＩＤ情報やカード口座等の必要な情報は親子カードサービス管理部２０５に保存される。
【００２１】
カード発行センタ１４０では、ホストコンピュータ１００からのカード発行指示情報をカード発行管理端末１４１で受信すると（ステップＳ８）、係員４ｂは、そのＩＤ情報やカード口座情報等に基づいて、親カード３ａおよび子カード２ａの製造手配を行い、これらカードをそれぞれが視覚的に識別可能、例えば子ユーザ名や口座番号の後に記号を付加表示したカードとして作成する（ステップＳ９）。そして、郵送等の手段により、作成した親カード３ａおよび子カード２ａを親ユーザ３や子ユーザ２に送付する（ステップＳ１０）。このような処理により、親ユーザ３や子ユーザ２は、それぞれに対応したカードを受領することができる。
以上が、カード発行に関する処理である。
【００２２】
次に、子ユーザ２による決済処理を説明する。
図６は、子ユーザ２による決済処理のフローチャートである。
子ユーザ２が金融店舗１３０において、商品購入の決済を行う場合は、店員４ｃが、例えば商品１３３に付与されているバーコードをバーコードリーダ１３４で読み取ることによって、ＰＳ端末１３２への商品購入情報を入力する（ステップＳ２１）。また、ＰＳ端末１３２は、子ユーザ２の所持する子カード２ａからＩＤ情報等を読み取る。これにより、ＰＳ端末１３２は、商品決済情報と子ユーザ２のＩＤ情報等をホストコンピュータ１００に送信する（ステップＳ２２）。ホストコンピュータ１００では、ＰＳ端末制御部２０４を介してこれらの情報を受信すると（ステップＳ２３）、決済処理部２０６が決済を行い、かつ、これを親子カードサービス管理部２０５に保存する（ステップＳ２４）。このようにして、子ユーザ２が商品購入を行う度に、その決済情報が親子カードサービス管理部２０５において保存される。
【００２３】
また、親子カードサービス管理部２０５では、その時点でメッセージが保存されているかを確認し（ステップＳ２５）、保存されていた場合は、決済情報と共に、そのメッセージを金融店舗１３０宛に送信する（ステップＳ２６）。尚、メッセージの保存処理に関しては、後述する親ユーザ３による照会処理で説明する。また、メッセージが保存されていなかった場合は、決済情報のみを金融店舗１３０宛に送信する（ステップＳ２７）。
【００２４】
金融店舗１３０では、決済情報を受信すると（ステップＳ２８）、この決済情報に基づいてレシートを出力する（ステップＳ２９）。
図７は、出力されたレシートの一例を示す説明図である。
図示のように、通常の決済情報が印刷されると共に、親ユーザ３からのメッセージがあった場合は、そのメッセージ内容が印刷出力される。
【００２５】
また、ＰＳ端末１３２でメッセージを含むレシートが出力された場合は、親子カードサービス管理部２０５で保存されているメッセージを消去するようにしてもよい。
【００２６】
次に、親ユーザ３による照会処理を説明する。
図８は、親ユーザ３による照会処理を示すフローチャートである。
以下、親ユーザ３が金融店舗１１０において、子ユーザ２の決済状況の照会処理を行ったとしてその説明を行う。
先ず、金融店舗１１０の金融端末１１１では、初期画面として取引選択画面が表示されている。
図９は、金融端末１１１における取引画面の説明図である。
図９（ａ）が、取引選択画面を示しており、入出金や振込等の取引に加えて「買物情報照会（決済情報照会）」が設けられている。親ユーザ３は、このような取引選択画面から「買物情報照会」を選択する（ステップＳ３１）。親ユーザ３より選択入力が行われると、金融端末１１１への親カード３ａの挿入を促すメッセージが表示されることにより、親ユーザ３は保持する親カード３ａを金融端末１１１に挿入する（ステップＳ３２）。
【００２７】
次に、金融端末１１１では図９（ｂ）に示すような期間入力画面が表示されることにより、親ユーザ３は、所望する照会期間と暗証番号を入力する（ステップＳ３３）。照会期間が入力されると、金融端末１１１は、このような入力情報に基づく決済情報の送信依頼をホストコンピュータ１００に対して送信する（ステップＳ３４）。ホストコンピュータ１００の主制御部２００は、このような依頼を金融端末制御部２０１を介して受け取ると（ステップＳ３５）、親子カードサービス管理部２０５は、保存している決済情報から要求された期間の決済情報を読み出し（ステップＳ３６）、この情報を金融端末１１１に応答情報として送信する（ステップＳ３７）。
【００２８】
金融端末１１１では、ホストコンピュータ１００からの応答を受信すると（ステップＳ３８）、決済情報を表示する（ステップＳ３９）。この表示画面が図９（ｃ）に示すものである。この画面中の図示する斜線部には、子カード２ａの決済情報として、日時、場所、品目、数量、価格等が表示される。また、食料品、衣服、雑誌、交通費等の科目別の表示であってもよい。
【００２９】
次に、親ユーザ３がこの表示画面情報を印刷するか否かを選択する（ステップＳ４０）。ここで、印刷しない場合は、「終了」キーを押下し、印刷する場合は「印刷」キーを押下するものである。また、一画面に表示できないときには「次画面」キーを押下すると、次の情報を表示する。尚、家庭内のパーソナルコンピュータ等から照会した場合は「印刷」キーを「保存」キーとしてもよい。尚、この例については後述する。
印刷が指定された場合は、表示画面の情報を印刷出力する（ステップＳ４１）。また、印刷しない場合はそのまま次のステップＳ４２に移行する。
【００３０】
次に、金融端末１１１では、親ユーザ３から子ユーザ２へのメッセージ入力を希望するかを確認する（ステップＳ４２）。この一例としては、画面表示で、「メッセージがある場合はメッセージ入力キーを押して下さい」といったメッセージが表示され、このメッセージ入力キーを押下することで、メッセージ入力画面に移行する、といったことで行われる。ここでメッセージ入力としては、例えば、定型文やカナキー入力とする。ステップＳ４２において、このようなメッセージ入力があった場合、親子カードサービス管理部２０５は、メッセージ情報をホストコンピュータ１００宛に送信する（ステップＳ４３）。一方、メッセージ入力がなかった場合は、次のステップＳ４４に移行する。
【００３１】
次に、金融端末１１１は、今回の買物情報照会の使用料金の請求依頼をホストコンピュータ１００宛に送信すると共に、その使用料金情報を保存する（ステップＳ４４）。ホストコンピュータ１００では、この使用料金情報を金融端末制御部２０１を介して受信すると（ステップＳ４５）、親子カードサービス管理部２０５は、親ユーザ３の取引口座から使用料金を徴収し（ステップＳ４６）、取引情報や料金情報等の必要な情報を保存する（ステップＳ４７）。次に、この引き落とし処理が終了した旨の結果を金融端末１１１に対する応答として返却する（ステップＳ４８）。
【００３２】
金融端末１１１では、ホストコンピュータ１００から処理完了応答を受け取ると（ステップＳ４９）、例えば「カードをおとり下さい」といったカード返却のメッセージを表示あるいは音声による出力を行う（ステップＳ５０）。これにより、親ユーザ３は金融端末１１１から親カード３ａを取り出し（ステップＳ５１）、買物情報照会取引が終了する。
【００３３】
〈効果〉
以上のように、具体例１によれば、上下関係のある親カード３ａと子カード２ａとを発行し、子カード２ａの決済状況を親カード３ａで照会できるようにしたので、子ユーザ２のカード使用状況をいつでも知ることができる。また、親カード３ａによる取引において、子カード２ａによる決済時にメッセージ表示を行うためのメッセージ入力を可能としたので、親ユーザ３による子ユーザ２の監視だけでなく、親ユーザ３から子ユーザ２への情報伝達も可能であるという効果が得られる。
【００３４】
《具体例２》
具体例２は、コンビニ金融システムと情報サービスシステムとをネットワーク接続することにより、金融サービスシステムを実現したものである。
【００３５】
〈構成〉
図１０は、具体例２の構成図である。
図示のシステムは、コンビニ金融システム３００と情報サービスシステム３１０と通信回線３２０で構成されている。
コンビニ金融システム３００は、コンビニエンスストアにおいて、ＰＳ端末で決済を行うと共に、店内に金融端末を設置し、種々の取引を行えるようにした公知のコンビニ金融システムの構成に加えて、コンビニ金融システムに属する金融端末から親ユーザ３による子ユーザ２の決済状況を確認できるようにしたシステムである。コンビニ金融システム３００は、コンビニメインコンピュータ３０１と、コンビニエンスストア等の金融店舗３０２，３０３と、これらコンビニメインコンピュータ３０１〜金融店舗３０３を相互に接続するネットワーク３０４からなる。
【００３６】
コンビニメインコンピュータ３０１は、コンビニ金融システム３００としての運用管理とＰＳ端末や金融端末等の制御を行うコンピュータである。金融店舗３０２，３０３は、それぞれ具体例１における金融店舗１１０，１３０と同様の構成を有している。従って、それぞれの内部構成に同一符号を付してその説明を省略する。ネットワーク３０４は、公衆回線等からなり、コンビニメインコンピュータ３０１〜金融店舗３０３を相互に接続するネットワークである。
【００３７】
情報サービスシステム３１０は、親カード３ａや子カード２ａの発行を行うと共に、これらのカードを利用した決済や取引を管理する機能を有しており、ホストコンピュータ３１１と、金融サービス受付店舗３１２と、カード発行センタ３１３と、ネットワーク３１４からなる。ここで、ホストコンピュータ３１１〜カード発行センタ３１３の基本的な構成は図１に示したホストコンピュータ１００、金融サービス受付店舗１２０およびカード発行センタ１４０と同様であるため、その内部構成の対応する部分に同一符号を付してその説明を省略する。また、ネットワーク３１４は、これらホストコンピュータ３１１〜カード発行センタ３１３を相互に接続するためのネットワークである。
【００３８】
次に、ホストコンピュータ３１１とコンビニメインコンピュータ３０１の制御構成について説明する。
図１１は、ホストコンピュータ３１１とコンビニメインコンピュータ３０１の制御ブロック図である。
図示のように、ホストコンピュータ３１１の制御ブロック構成として、主制御部４００、受付端末制御部４０１、カード発行管理端末制御部４０２を備え、主制御部４００は、親子カードサービス管理部４０３と決済処理部４０４を備えている。これらの基本的な機能は、具体例１における主制御部２００、受付端末制御部２０２、カード発行管理端末制御部２０３と同様であるため、ここでの詳細な説明は省略する。
【００３９】
また、コンビニメインコンピュータ３０１の制御ブロック構成として、主制御部４１０、金融端末制御部４１１、ＰＳ端末制御部４１２を備えている。主制御部４１０は、コンビニ金融システム３００としての全体の運用管理と制御を行うと共に、金融端末制御部４１１およびＰＳ端末制御部４１２とデータ通信を行って、金融端末１１１，１３１やＰＳ端末１３２を制御し、また、通信回線３２０を介して情報サービスシステム３１０との通信を行う制御部である。金融端末制御部４１１およびＰＳ端末制御部４１２は具体例１における金融端末制御部２０１およびＰＳ端末制御部２０４と同様の機能を有するものである。
【００４０】
〈動作〉
次に、動作について説明する。
先ず、カード発行処理については、金融サービス受付店舗３１２とホストコンピュータ３１１とカード発行センタ３１３とがネットワーク３１４を介して通信することにより実行されるものであるが、これら金融サービス受付店舗３１２〜カード発行センタ３１３の処理は、図５に示したような具体例１の金融サービス受付店舗１２０、ホストコンピュータ１００およびカード発行センタ１４０によるカード発行処理と同様であるため、ここでの説明は省略する。
【００４１】
次に、子ユーザ２による決済処理においては、先ず、金融店舗３０３におけるＰＳ端末１３２からの商品購入情報がコンビニメインコンピュータ３０１を介してホストコンピュータ３１１に送信される。そして、ホストコンピュータ３１１で決済処理が行われると共にメッセージが保存されていた場合は、このメッセージが決済情報と共にコンビニメインコンピュータ３０１を介して金融店舗３０３に応答として返却される。金融店舗３０３では、決済を示すレシートを出力し、メッセージがあった場合はこのメッセージをレシート中に記載する。このように、具体例２では、金融店舗３０３がコンビニメインコンピュータ３０１を介してホストコンピュータ３１１と通信を行って決済処理を実行するものであるが、その基本的な動作は、これらのデータ通信がコンビニメインコンピュータ３０１を介して行われる点を除いて図６に示すような具体例１における金融店舗１３０およびホストコンピュータ１００の動作と同様であるため、ここでの詳細な説明は省略する。
【００４２】
また、親ユーザ３による照会処理においても、金融店舗３０２とホストコンピュータ３１１とのデータ通信がコンビニメインコンピュータ３０１を介して行われる点を除いて図８に示したような具体例１の動作と同様である。即ち、親ユーザ３が「買物情報照会」を選択し、その期間を入力することにより、その送信依頼がコンビニメインコンピュータ３０１を介して行われ、ホストコンピュータ３１１から該当する情報が送信され、これがコンビニメインコンピュータ３０１を介して金融店舗３０２で受信される。また、親ユーザ３からのメッセージ入力があった場合は、ホストコンピュータ３１１の親子カードサービス管理部４０３で保存される。このように金融店舗３０２とホストコンピュータ３１１の基本的な動作は具体例１と同様であるため、ここでの詳細な説明は省略する。
【００４３】
〈効果〉
以上のように、具体例２によれば、コンビニ金融システム３００と情報サービスシステム３１０とにより金融サービスシステムを実現するようにしたので、具体例１と同様の効果を有すると共に、コンビニ金融システム３００に属するある店舗で子ユーザ２が商品の購入を行った情報を、親ユーザ３は、他の店舗においても照会することができる。
【００４４】
《具体例３》
具体例３は、コンビニ金融システムに加えて、これとは別の金融機関金融システムと情報サービスシステムとをネットワーク接続することにより、金融サービスシステムを実現したものである。
【００４５】
〈構成〉
図１２は、具体例３の構成図である。
図示のシステムは、金融機関金融システム５００、コンビニ金融システム５１０、情報サービスシステム５２０、通信回線５３０、５４０で構成されている。
【００４６】
金融機関金融システム５００は、銀行や郵便局といった金融機関の金融システムであり、金融機関金融店舗５０１、金融機関メインコンピュータ５０２、ネットワーク５０３からなる。金融機関金融店舗５０１は、具体例１の金融店舗１１０に相当する店舗であり、金融機関金融システム５００に属する金融店舗である。また、金融機関メインコンピュータ５０２は、この金融機関金融システム５００の運用管理と制御を行う機能を有するコンピュータである。ネットワーク５０３は、金融機関金融店舗５０１と金融機関メインコンピュータ５０２および通信回線５４０を介して情報サービスシステム５２０のネットワークやコンビニ金融システム５１０のネットワークに接続するためのものである。
【００４７】
コンビニ金融システム５１０は、コンビニエンスストアにおいて、ＰＳ端末で決済を行うと共に、店内に金融端末を設置し、種々の取引を行えるようにした公知のコンビニ金融システムの構成に加えて、コンビニ金融システム５１０内および金融機関金融システム５００から、親ユーザ３による子ユーザ２の決済状況を確認できるようにしたシステムである。コンビニ金融システム５１０は、コンビニエンスストア等のコンビニ金融店舗５１１と、このコンビニ金融店舗５１１を運用管理と制御を行うためのコンビニメインコンピュータ５１２と、これらコンビニメインコンピュータ５１２〜コンビニ金融店舗５１１を相互に接続するネットワーク５１３からなる。
【００４８】
コンビニ金融店舗５１１は、具体例１における金融店舗１３０や具体例３における金融店舗３０３に相当する店舗であり、コンビニ金融システム５１０に属する金融店舗である。コンビニメインコンピュータ５１２は、コンビニ金融システム５１０としての運用管理とＰＳ端末や金融端末等の制御を行うコンピュータである。ネットワーク５１３は、公衆回線等からなり、コンビニ金融店舗５１１とコンビニメインコンピュータ５１２を相互に接続するネットワークである。
【００４９】
情報サービスシステム５２０は、親カード３ａや子カード２ａの発行を行うと共に、これらのカードを利用した決済や取引を管理する機能を有しており、ホストコンピュータ５２１と、金融サービス受付店舗５２２と、カード発行センタ５２３と、ネットワーク５２４からなる。ここで、ホストコンピュータ５２１〜カード発行センタ５２３におけるそれぞれの基本的な構成は図１に示したホストコンピュータ１００、金融サービス受付店舗１２０およびカード発行センタ１４０と同様であるため、対応する部分に同一符号を付してその説明を省略する。また、ネットワーク５２４は、これらホストコンピュータ５２１〜カード発行センタ５２３を相互に接続するためのネットワークである。
【００５０】
次に、金融機関メインコンピュータ５０２とコンビニメインコンピュータ５１２とホストコンピュータ５２１の制御構成について説明する。
図１３は、ホストコンピュータ５２１とコンビニメインコンピュータ５１２と金融機関メインコンピュータ５０２の制御ブロック図である。
金融機関メインコンピュータ５０２は、主制御部５０４と金融機関金融端末制御部５０５からなる。主制御部５０４は、金融機関金融システム５００全体の運用管理と制御を行う機能部であり、また、ホストコンピュータ５２１の主制御部５２５とのデータ通信制御を行うものである。金融機関金融端末制御部５０５は、金融機関金融端末１１１ａの運用管理と制御を行うものである。
【００５１】
コンビニメインコンピュータ５１２は、主制御部５１４、コンビニ金融端末制御部５１５、ＰＳ端末制御部５１６からなる。主制御部５１４は、コンビニ金融システム５１０全体の運用管理と制御を行う機能部であり、また、ホストコンピュータ５２１の主制御部５２５とのデータ通信制御を行うものである。コンビニ金融端末制御部５１５は、コンビニ金融端末１３１ａの運用管理と制御を行う機能部である。
【００５２】
ホストコンピュータ５２１は、主制御部５２５、受付端末制御部５２６、カード発行管理端末制御部５２７を備え、主制御部５２５は、親子カードサービス管理部５２８と決済処理部５２９を備えている。これら構成は、具体例２における主制御部４００〜決済処理部４０４と同様であるため、ここでの説明は省略する。
【００５３】
〈動作〉
次に、動作について説明する。
先ず、カード発行処理については、金融サービス受付店舗５２２とホストコンピュータ５２１とカード発行センタ５２３とがネットワーク５２４を介して通信することにより実行されるものであるが、これら金融サービス受付店舗５２２〜カード発行センタ５２３の処理は、図５に示したような具体例１の金融サービス受付店舗１２０、ホストコンピュータ１００およびカード発行センタ１４０によるカード発行処理と同様であるため、ここでの説明は省略する。
【００５４】
次に、子ユーザ２による決済処理においては、コンビニ金融店舗５１１がコンビニメインコンピュータ５１２を介してホストコンピュータ５２１と通信を行って決済処理を実行するものであるが、その基本的な動作は、具体例２と同様であるため、ここでの説明は省略する。
【００５５】
また、親ユーザ３による照会処理においても、金融機関金融店舗５０１が金融機関メインコンピュータ５０２を介してホストコンピュータ５２１と通信を行うことで実行されるものであるが、その基本的な動作は具体例２と同様であるため、ここでの説明は省略する。
【００５６】
〈効果〉
以上のように、具体例３によれば、金融機関金融システム５００とコンビニ金融システム５１０と情報サービスシステム５２０とにより金融サービスシステムを実現するようにしたので、具体例１と同様の効果を有すると共に、コンビニ金融システム５１０に属するある店舗で子ユーザ２が商品の購入を行った情報を、親ユーザ３は、親カード３ａを用いてこのコンビニ金融システム５１０とは異なる別の金融機関のネットワークの金融店舗においても照会することができる。
【００５７】
《変形例》
尚、上記各具体例では、子カード２ａや親カード３ａの発行をカード発行センタ１４０，３１３，５２３で行ったが、これ以外にも、金融端末１１１，金融機関金融端末１１１ａや、金融端末１３１、コンビニ金融端末１３１ａでカード発行機能を持つよう構成してもよい。このようにした変形例を次に説明する。
【００５８】
図１４は、カード発行機能を備えた金融端末の機能ブロック図である。
図示の金融端末は、カード発行部６０１、カード発行管理部６０２、照会部６０３、メッセージ入力部６０４を備えている。
カード発行部６０１は、親ユーザ３と同一口座で、かつ、親ユーザ３の家族名義となる子ユーザ２が使用するための子カード２ａを、視覚的に識別可能なカードとして発行する機能部である。即ち、口座開設人と同一口座で、かつ、この口座開設人の家族名義となる複数のカードを視覚的に識別可能なカードとして発行する機能部である。
このカード発行部６０１は、具体的には、子カード２ａとなる新規カードを保管するカード収納手段と、所定のデータを子カード２ａに書き込むデータ書き込み手段と、カードへの印刷を行う印刷手段とからなるものである。
【００５９】
また、カード発行管理部６０２は、親カード３ａが既発行であった場合は、その既発行されている親カード３ａから、子カード２ａとして必要な情報を読み出し、これを子カード２ａ発行のためのデータとしてカード発行部６０１に渡す機能部である。即ち、同一口座の複数のカードのうち、いずれかのカードが既発行であった場合、その既発行のカードを上位側のカードとして位置付け、この上位側のカードから情報を読み出して下位のカードを発行するようカード発行部６０１に指示する機能部である。
このカード発行管理部６０２は、具体的には、親カード３ａから情報を読み取ったり、その読み取った情報を子カード２ａに書き込む情報リード／ライト部から実現されるものである。
【００６０】
更に、照会部６０３は、各具体例における金融端末１１１，金融機関金融端末１１１ａや、金融端末１３１、コンビニ金融端末１３１ａの子カード２ａの決済状況を照会する機能と同等の機能部である。また、メッセージ入力部６０４は、各具体例におけるメッセージ入力機能を実現する機能部である。
【００６１】
このように構成された金融端末を用いて、例えば親カード３ａが既に発行されており、同一口座で子カード２ａのみを新たに作成する場合、カード発行管理部６０２は、先ず、親カード３ａから口座番号といった親ユーザ３の口座に対応した情報を読み取る。そして、この読み取った情報を元にして子カード２ａへの情報書き込みを行い、新規カードとして子カード２ａを発行する。ここで、子カード２ａでは、親カード３ａとは視覚的に識別可能なように印刷を行い発行される。尚、この子カード２ａ発行処理の時点ではホストコンピュータを介さずにオフラインで行ってもよい。このように発行後にホストコンピュータへの登録を行うことでバッチ処理を行うことができる。
【００６２】
また、親カード３ａを既存のキャッシュカードとすれば、子カード２ａの発行は、既存のシステムにおける振込カードの発行といった取扱いに近いため、導入コストを低く抑えることができる。
【００６３】
そして、上記各実施例や変形例において次のように構成してもよい。
●上記各具体例等では、カード発行に際して金融サービス受付店舗１２０、３１２、５２２で親ユーザ３と子ユーザ２が出向いて本人確認を行った後、カード発行受付を行うようにしたが、これ以外にも、例えば家庭内に設置されたパーソナルコンピュータをネットワーク接続し、ネットワークを介してカード発行申請を行うよう構成してもよい。
●上記各具体例では、カード取引照会を親カード３ａで行うよう構成したが、これに限定するものではなく、例えば、親カード３ａの口座番号や暗証番号等の入力により家庭内からネットワーク接続により照会するようにしてもよい。このような場合は、上述したように、図９（ｃ）の画面において、「印刷」キーを「保存」キーとすることもできる。
●本システムを利用する上での使用料金（サービス課金）は、親ユーザ３の口座から支払うよう構成したが、これは、コンビニエンスストア等が支払うよう構成してもよい。
●子カード２ａによる決済金額に上限を設けるよう構成してもよい。このようにすれば、子カード２ａの使いすぎを防止することができる。
●親ユーザ３による照会において、指定された期間よりも取引件数を優先させ、期間内であっても取引件数が所定件数以上の場合は、それ以前の決済情報を親子カードサービス管理部２０５の照会用のデータから消去するようにしてもよい。また、子カード２ａの決済情報の保存期間を例えば３ヶ月といった期間限定とし、これを経過した決済情報は照会用のデータから削除するようにしてもよい。
●親カード３ａや子カード２ａの形態としてＩＣカードからなるカードとしたが、これらのカードは情報記憶媒体としての機能を有するものであればどのような形態であってもよい。
【００６４】
【発明の効果】
以上のように、本発明によれば、一方の使用者に対して、現金に代わる決済取引の使用のみに制限される子カードを発行し、かつ、この子カードを用いた決済状況を他方の使用者が確認できるようにしたので、一方の使用者によるカード使用に制限を設けることができ、また、他方の使用者はいつでも一方の使用者のカード使用状況を知ることができるという効果がある。更に、他方の使用者からメッセージ入力を行い、このメッセージが子カードによる決済時に表示するようにしたので、他方の使用者による一方の使用者の監視だけでなく、他方の使用者から一方の使用者への情報伝達も可能であるという効果が得られる。
【図面の簡単な説明】
【図１】本発明の金融サービスシステムの具体例１を示す機能ブロック図である。
【図２】カードの機能を示す説明図である。
【図３】具体例１の金融サービスシステムの構成図である。
【図４】具体例１のホストコンピュータの制御ブロック図である。
【図５】具体例１におけるカード発行処理を示す説明図である。
【図６】子ユーザによる決済処理のフローチャートである。
【図７】出力されたレシートの一例を示す説明図である。
【図８】親ユーザによる照会処理を示すフローチャートである。
【図９】金融端末における取引画面の説明図である。
【図１０】具体例２の構成図である。
【図１１】具体例２における各コンピュータの制御構成のブロック図である。
【図１２】具体例３の構成図である。
【図１３】具体例３における各コンピュータの制御構成のブロック図である。
【図１４】カード発行機能を備えた金融端末の機能ブロック図である。
【符号の説明】
１  金融サービスシステム
２  一方の使用者（子ユーザ）
３  他方の使用者（親ユーザ）
１１  カード発行手段
１２  子カード決済情報管理手段
１３  子カード決済情報照会手段
１４  メッセージ保存手段
１５  メッセージ出力手段
６０１  カード発行部
６０２  カード発行管理部
６０３  照会部
６０４  メッセージ入力部
【図１】
2004164446.tif 000003
【図２】
2004164446.tif 000004
【図３】
2004164446.tif 000005
【図４】
2004164446.tif 000006
【図５】
2004164446.tif 000007
【図６】
2004164446.tif 000008
【図７】
2004164446.tif 000009
【図８】
2004164446.tif 000010
【図９】
2004164446.tif 000011
【図１０】
2004164446.tif 000012
【図１１】
2004164446.tif 000013
【図１２】
2004164446.tif 000014
【図１３】
2004164446.tif 000015
【図１４】
2004164446.tif 000016